(57)【要約】【課題】湿気や熱等の排出を促進し、外装材や断熱材の内部等での結露を防止することができる断熱材と、この断熱材を用いた外装材施工方法を提供する。【解決手段】断熱材１は押出法ポリスチレンフォーム保温板等の発泡プラスチックよりなる板状のものであり、一方の面に平行に且つ一定間隔にて多数の通気用溝１ａが設けられている。該一方の面の全面に不織布２が接着剤により接着されている。断熱材１の不織布２の上にモルタル好ましくは樹脂モルタルを塗着してモルタル層４を形成する。モルタルが乾いた後、必要に応じアンカー８を打ち込んでモルタル層４及び断熱材１の壁面３への固定を補強する。次いで、接着剤５を用いてタイル６をモルタル層４に接着し、必要に応じ目地材７を充填する。【選択図】　図１
2004092312.tif 000002
【特許請求の範囲】
【請求項１】
板状の断熱材であって、板面に通気用及び／又は湿気排出用の溝が設けられている断熱材において、該溝を覆う通気性を有する被装材を設けたことを特徴とする断熱材。
【請求項２】
請求項１において、該被装材は伸縮性を有する材質よりなるものであることを特徴とする断熱材。
【請求項３】
請求項２において、該被装材は不織布又はネットであることを特徴とする断熱材。
【請求項４】
請求項１ないし３のいずれか１項において、該被装材は該断熱材の板面の全体に設けられており、且つ該断熱材に接着されていることを特徴とする断熱材。
【請求項５】
請求項１ないし４のいずれか１項において、該溝は断熱材の一方の面にのみ設けられていることを特徴とする断熱材。
【請求項６】
請求項１ないし４のいずれか１項において、該溝は断熱材の両面に設けられており、一方の面の溝のみが前記被装材で覆われていることを特徴とする断熱材。
【請求項７】
請求項１ないし４のいずれか１項において、該溝は断熱材の両面に設けられており、両面の溝がいずれも前記被装材で覆われていることを特徴とする断熱材。
【請求項８】
外装材を壁面に張付施工する方法において、請求項１ないし７のいずれか１項に記載の断熱材をその被装材付きの面が外向きとなるように該壁面に取り付け、この断熱材に、外装材張り付け用の下地を形成した後に、或いは直接的に、外装材を張り付けることを特徴とする外装材施工方法。
【請求項９】
型枠を用いて構築されたコンクリート壁に外装材を張り付ける方法において、
型枠として請求項７に記載の断熱材を用いてコンクリート壁を構築し、この断熱材に、外装材張り付け用の下地を形成した後に、或いは直接的に、外装材を張り付けることを特徴とする外装材施工方法。
【請求項１０】
請求項８又は９において、断熱材に外装材を張り付けるに際し、まず断熱材にモルタルを塗着して下地を形成し、その後、弾性接着剤により外装材を張り付けることを特徴とする外装材施工方法。
【請求項１１】
請求項１０において、該モルタル下地をアンカーによって固定することを特徴とする外装材施工方法。
【発明の詳細な説明】
【０００１】
【発明の属する技術分野】
本発明は、建物の好ましくは外壁面の外断熱に用いられる断熱材と、この断熱材にタイル等の外装材を張り付け施工する外装材施工方法とに関する。
【０００２】
【従来の技術】
壁面の外断熱工法として、発泡合成樹脂製の板状の断熱材を外壁に取り付け、この断熱材の上にタイルを張り付け施工することが広く行われている。下記特許文献１には、この種の断熱材の外側面に湿気や熱を逃すための溝を設けることが記載されている。
【０００３】
コンクリート壁の構築方法として、板状断熱材を型枠として用いることが下記特許文献２に記載されている。
【０００４】
【特許文献１】
特開昭６３−２４７４５０号公報（第１−３頁，第１図）
【特許文献２】
特開平５−１１２９９３号公報（第１−２頁，第１−２図）
【０００５】
【発明が解決しようとする課題】
表面に溝を有した断熱材にタイル等の外装材を張り付ける場合、張り付け用のモルタルや接着剤が溝に入り込んで溝を閉塞させるおそれがある。
【０００６】
本発明は、熱等を排出する通気用及び／又は湿気排出用の溝が十分に確保される断熱材と、この断熱材を用いた外装材施工方法を提供することを目的とする。
【０００７】
【課題を解決するための手段】
本発明の断熱材は、板状の断熱材であって、板面に通気用及び／又は湿気排出用の溝（以下、この溝を「通気用等の溝」と称することがある。）が設けられている断熱材において、該溝を覆う通気性を有する被装材を設けたことを特徴とするものである。
【０００８】
かかる断熱材は、その上にモルタルや接着剤によってタイル等の外装材を張り付ける場合、溝が被装材によって覆われているので、このモルタルや接着剤が溝に入ることが防止又は抑制される。これにより、通気用等の溝が十分に確保された外装材仕上げとすることができる。また、被装材に対しモルタル等が強固に付着するようになり、外装材の張り付け強度も高くなる。
【０００９】
一般に、断熱材を壁面に取り付け、その上にタイル等の外装材を張り付け施工した場合、日射や外気温の昇降により断熱材や外装材に反り変形や熱膨張・収縮等の熱変形が生じ、外装材が断熱材から剥れ易くなる。本発明の断熱材にあっては、通気用等の溝が十分に確保されるので、日射や外気温の上昇によって外装材が加熱されても、該溝から十分に放熱することができるため、これらに熱変形が生じにくく、該外装材の剥離が防止される。
【００１０】
また、本発明では、断熱材とその上に張り付けられる外装材との間に介在される被装材を伸縮性を有する材質にて構成することにより、日射や外気温の昇降によって外装材や断熱材が熱変形した場合でも、該被装材がこれらの熱変形に追従するように自在に伸縮することによって両者の間に生じる応力を吸収し、より一層外装材が断熱材から剥れにくいものとなる。このような伸縮性を有する被装材としては、不織布やネット等が好適である。
【００１１】
本発明では、溝は断熱材の一方の面にのみ設けられてもよく、両面に設けられてもよい。両面に設けた場合には、壁を通して拡散してくる湿気等を断熱材の裏側（建物側）の溝をも介して排出することができる。
【００１２】
本発明の外装材施工方法は、被装材付きの面が外向きとなるように設けられた本発明の断熱材にタイル等の外装材を張り付けるものである。この外装材として、タイルの他、石材やタイルパネル、窯業系サイディング、金属サイディング、仕上げ用及び下地用モルタル等を施工することができる。
【００１３】
本発明の断熱材は、コンクリート打設用の型枠としても用いることができる。この場合、断熱材として、両面に溝が設けられ、且つ両面の溝がいずれも被装材で覆われているものを用いる。この断熱材のコンクリート打設側の溝を介して生コンクリートから滲出してくる余剰水を排出することができる。もちろん、コンクリートが硬化した後は、この溝は湿気排出用の通気溝として機能する。
【００１４】
【発明の実施の形態】
以下、図面を参照して実施の形態について説明する。図１（ａ）は実施の形態に係る断熱材の素板の斜視図、図１（ｂ）は断熱材の水平断面図、図２は図１の断熱材を用いたタイル施工方法を示す水平断面図、図３は別の実施の形態に係る断熱材の水平断面図、図４は図３の断熱材を用いたタイル施工方法を示す水平断面図、図５はさらに別の実施の形態に係る断熱材の水平断面図、図６は図５の断熱材を用いたタイル施工方法を示す水平断面図、図７は図６のＶＩＩ−ＶＩＩ線に沿う縦断面図である。
【００１５】
断熱材１は押出ポリスチレンフォーム保温板等の発泡プラスチックよりなる板状のものであり、一方の面には、平行に且つ一定間隔にて多数の通気用等の溝１ａが設けられている。該一方の面の全体に被装材としての不織布２が接着剤により接着されている。この接着剤は、溝１ａ以外の板面１ｂに付着されている。
【００１６】
図２の通り、この断熱材１を用いてタイル等の外装材施工方法を行うためには、溝１ａが上下方向となるようにして、断熱材１の他方の面を弾性接着剤などの接着剤あるいは釘やビス、あるいはアンカーなど（いずれも図示略）によって壁面３に固定する。壁面３はコンクリート壁であってもよく、合板やサイディングなどであってもよい。なお、この実施の形態では壁面３は外壁である。
【００１７】
以下、外装材としてタイル６を用いた場合の外装材施工方法の実施の形態について説明する。
【００１８】
この断熱材１の不織布２の上にモルタル好ましくは樹脂モルタルを塗着して下地としてのモルタル層４を形成する。モルタルが乾いた後、必要に応じアンカー８を打ち込んでモルタル層４及び断熱材１の壁面３への固定を補強する。次いで、接着剤好ましくは弾性接着剤５を用いてタイル６をモルタル層４に接着し、必要に応じ目地材７を充填する。なお、このような接着剤に替えて、下地モルタル層４に仕上げ用モルタルを塗着し、これに埋め込むようにしてタイル６を張り付けてもよい。また、モルタル層４が固まる前にこのモルタル層４に埋め込むようにしてタイル６を張り付けてもよい。
【００１９】
このようにタイル６を張り付け施工した壁面にあっては、被装材３によって溝１ａが覆われているので、モルタルが溝１ａ内に入り込まず、溝１ａは十分に広いものとなっている。このため、断熱材１を透過して室内から拡散してきた湿気は、溝１ａを通って速やかに排出される。この結果、断熱材１やタイル６等の内部での結露及び水分の蓄積が防止される。
【００２０】
また、この実施の形態では、不織布２に対しモルタル層４を形成するときにモルタルが良くなじみ、モルタル層４の付着強度がきわめて高い。このため、タイル６の張り付け強度が十分に高い。
【００２１】
図１，２では断熱材１の一方の面にのみ溝１ａを設けているが、図３〜７の断熱材１Ａのように両面に溝１ａを設けてもよい。
【００２２】
図３，４では、被装材としての不織布２は一方の面にのみ設けられている。この断熱材１Ａは、前記図２と同様にしてタイル張り付け施工に用いられる。なお、図４の通り、不織布２を設けてない面を壁面３に当接させる。このように壁面３側にも溝１ａを設けたことにより、室内側から拡散してきた湿気を速やかに大気へ排出することができ、断熱材１Ａ等の内部での結露及び水分の蓄積が十分に防止される。
【００２３】
図５〜７にあっては断熱材１Ａの両面の全体に被装材として不織布２を張り付けている。この断熱材１Ａは、コンクリート打設用の型枠として用いることができる。
【００２４】
即ち、不織布２が両面に設けられた断熱材１Ａを壁構築予定空間に対面させて配置し、必要に応じバックアップ部材にて補強して支持する。生コンクリート（まだ硬まらないコンクリート）を打設し、硬化後、モルタル層４を形成し、接着剤５によってタイル６を張り付け、目地材７を詰める。
【００２５】
この断熱材１Ａは、コンクリート側にも溝１ａが設けられ、且つこの溝１ａが不織布２で覆われているので、生コンクリートが溝１ａに入り込むことがなく、コンクリート側に十分に広い溝１ａが残存する。この溝１ａは、通気溝として機能するだけでなく、生コンクリート中から滲み出てくる余剰水の排出流路としても機能する。この余剰水の排出を促進することにより、コンクリート壁１０の乾燥を早めることができ、内装工事を早期に開始することができる。また、仮に乾燥が不十分な段階で室内面にビニールクロス等を貼着した場合であっても、コンクリート壁１０内の水分は断熱材１Ａのコンクリート側の溝１ａを通って速やかに排出されるので、ビニールクロス等の貼着用の糊が湿気で剥れることがない。
【００２６】
タイル施工終了後の壁は、断熱材１Ａの両面に溝１ａが設けられているので、室内側から拡散してくる湿気を速やかに大気等の外部へ放出することができ、断熱材１Ａやタイル６の内部等での結露及び水分の蓄積が防止される。
【００２７】
上記の不織布２としては、ポリエステルやガラス繊維の不織布が好適であるが、これらに限定されない。不織布の代りにモルタルを通過させない程度の比較的目の細かいネットを用いてもよい。なお、ネットを用いるときには、モルタルや生コンクリートとして水分配合量の少ない硬目のものを用いるのが好ましい。
【００２８】
溝１ａの幅は５〜２０ｍｍ程度が適当であり、深さは５〜２０ｍｍ程度が適当であり、ピッチは５〜２０ｍｍ程度が適当であるが、これより大きくてもまた小さくてもよい。断熱材１，１Ａの厚さは２５〜１００ｍｍ程度が適当であるが、これに限定されない。
【００２９】
上記の各実施の形態では、断熱材に対し上下方向の一方向にのみ溝を延設しているが、この上下方向の溝と交叉するように、他の方向にも溝を延設してもよい。
【００３０】
【発明の効果】
以上の通り、本発明によると、湿気や熱等の排出を促進し、タイル等の外装材や断熱材の内部等での結露及び水分の蓄積を防止することができる。本発明では、不織布等の被装材を設けたことによる厚みの増大は極く僅かであるので、外装材張り外断熱施工したときの厚み増加は従来の外装材張り外断熱工法の場合と殆ど同一である。
【図面の簡単な説明】
【図１】図１（ａ）は実施の形態に係る断熱材の素板の斜視図、図１（ｂ）は断熱材の水平断面図である。
【図２】図１の断熱材を用いたタイル施工方法を示す水平断面図である。
【図３】別の実施の形態に係る断熱材の水平断面図である。
【図４】図３の断熱材を用いたタイル施工方法を示す水平断面図である。
【図５】さらに別の実施の形態に係る断熱材の水平断面図である。
【図６】図５の断熱材を用いたタイル施工方法を示す水平断面図である。
【図７】図６のＶＩＩ−ＶＩＩ線に沿う縦断面図である。
【符号の説明】
１，１Ａ　断熱材
２　不織布
３　壁面
４　モルタル層
５　弾性接着剤
６　タイル
７　目地材
８　アンカー
１０　コンクリート壁
【図１】
2004092312.tif 000003
【図２】
2004092312.tif 000004
【図３】
2004092312.tif 000005
【図４】
2004092312.tif 000006
【図５】
2004092312.tif 000007
【図６】
2004092312.tif 000008
【図７】
2004092312.tif 000009